(57)【要約】本発明による椎間関節形成装置は、連結具（３、６）を互いに連結するための連結ロッド（２）を含み、連結具（３、６）は各々処置される椎骨Ｖの椎体に固定ねじ（４）によってそれぞれ保持され、一方で各連結具（３）はスリーブ（５）を拘束しガイドするための手段を持ち、スリーブ（５）は固定ねじ（４）の垂直軸ｘｘ’及び／又はｖｖ’についての回転Ｒ、Ｒ１及び／又は側方傾斜Ｂにおいて、前記連結部（３）が自由に動けるようにし、固定ねじ（４）は対応する椎体にあらかじめ固定されている。
2013535265.tif 000002
【特許請求の範囲】
【請求項１】
椎間関節形成装置であり、
複数の連結具（３、６）を互いに連結するための複数の連結ロッド（２）を含み、
前記複数の連結具は各々処置される椎骨Ｖの椎体に、複数の固定ねじ（４）によってそれぞれ保持され、そのために、前記複数の固定ねじ（４）と前記複数の連結具（３）との間の連結がスリーブ（５）及び締付けナット（４２）によってもたらされるものにおいて、前記各連結具（３）が少なくとも１つの穴（３２）を有し、
前記少なくとも一つの穴は前記スリーブ（５）が所定の位置に嵌められガイドされることができるものであり、そのために、前記締付けナット（４２）が前記スリーブ（５）に対して固定された後、前記連結具（３）が、前記固定ねじ（４）に連結した前記スリーブ（５）回りに、前記穴（３２）の垂直軸ｘｘ’に対する回転運動Ｒ及び／又は側方傾斜運動Ｂ、及び／又は対応する前記固定ねじ（４）の垂直軸ｖｖ‘に対する回転運動Ｒ１で自由に動くことができるようになっている
ことを特徴とする椎間関節形成装置。
【請求項２】
前記スリーブ（５）は球状外面形状と、円錐形状の連続した内側の穴（５０）とを有することを特徴とする、請求項１による椎間関節形成装置。
【請求項３】
前記連結ロッド（２）は円筒部（２０）を含み、該円筒部（２０）は正方形又は長方形の横断面を有する傾斜部（２１）に延びることを特徴とする、請求項１による椎間関節形成装置。
【請求項４】
前記各連結具（３）は第一穴（３１）及び第二穴（３２）を含むボディ（３０）によって形成され、
前記第一穴（３１）は前記連結ロッド（２）の前記円筒部（２０）が並進にガイドされることを許容し、
前記第二穴（３２）は前記スリーブ（５）及び前記固定ねじ（４）を受けるための延長部（３５）に形成されている
ことを特徴とする、請求項３による椎間関節形成装置。
【請求項５】
前記第二穴（３２）は、互いに反対側に配置され、前記第二穴（３２）の内周に形成される座面（３４）に開口している、２つの内側の垂直な凹部（３３）を有することを特徴とする、請求項４による椎間関節形成装置。
【請求項６】
前記各連結具（３）の前記第二穴（３２）の内側に形成される前記複数の凹部（３３）及び前記座面（３４）は前記スリーブ（５）の外面形状を補完する球面形状を有し、そのために、前記スリーブ（５）が、前記穴（３２）の前記垂直軸ｘｘ’に対する回転運動Ｒ及び／又は側方傾斜運動Ｂ、及び／又は前記固定ねじ（４）の前記垂直軸ｖｖ’に対する回転運動Ｒ１で、前記第二穴（３２）の内部を自由に動くことができることを特徴とする、請求項５による椎間関節形成装置。
【請求項７】
前記スリーブ（５）は前記連結具（３）の前記延長部（３５）より大きな高さを有することを特徴とする、請求項４による椎間関節形成装置。
【請求項８】
前記各固定ねじ（４）は第一固定部（４０）と第二固定部（４１）との間に凸形状（４３）を有し、
前記凸形状（４３）は、前記第二固定部（４１）の方向で、円錐形状（４７）に延び、
前記円錐形状（４７）は、前記固定ねじ（４）に対して前記スリーブ（５）を拘束するモールステーパ連結装置を構成するように、前記スリーブ（５）の円錐形穴（５０）と協働するように設計される
ことを特徴とする、請求項１による椎間関節形成装置。
【請求項９】
前記連結ロッド（２）の傾斜部（２１）は止めねじ（６０）によって前記複数の連結具（６）内に保持され、
前記複数の連結具（６）は処置される脊髄分節の上部椎骨Ｖ２にあらかじめ固定されている
ことを特徴とする、請求項３による椎間関節形成装置。
【請求項１０】
前記複数の連結具（３、６）の間に、複数の連結具（７０）及び横方向ロッド（７２）を有する横方向連結装置（７）を含み、
前記複数の連結具（７０）は複数の止めねじ（７１）によって各連結ロッド（２）の円筒部（２０）に固定され、
前記横方向ロッド（７２）は前記連結ロッド（２）に対して直角に配置されていて、前記複数の連結具（７０）が互いに連結できる
ことを特徴とする、請求項１による椎間関節形成装置。
【発明の詳細な説明】
【技術分野】
【０００１】
本発明は椎間関節形成装置、より具体的には固定ねじを連結具に取付け、拘束するための装置に関する。
【発明の概要】
【０００２】
本発明による椎間関節形成装置の目的は、固定ねじが連結具に取付けられ、それと同時に後者が椎骨の骨体に固定されたときに前記固定ねじ回りに回転できることを保証する手段を改良することである。
【０００３】
本発明による椎間関節形成装置は、複数の連結具を互いに連結するための複数の連結ロッドを含み、複数の連結具は各々処置される椎骨Ｖの椎体に複数の固定ねじによってそれぞれ保持され、そのために、複数の固定ねじと複数の連結具との間の連結がスリーブ及び締付けナットによってもたらされるものにおいて、各連結具は少なくとも１つの穴を有し、少なくとも１つの穴はスリーブが所定の位置に嵌められガイドされることができるものであり、そのため、締付けナットがスリーブに対して固定された後、連結具が、固定ねじに連結した前記スリーブ回りに、前記穴の垂直軸ｘｘ’に対する回転運動Ｒ及び／又は側方傾斜運動Ｂ、及び／又は対応する固定ねじの垂直軸ｖｖ’に対する回転運動Ｒ１で自由に動くことができるようになっている。
【０００４】
本発明による椎間関節形成装置は、球状外面形状と、円錐形状の連続した内側の穴とを有するスリーブを含む。
【０００５】
本発明による椎間関節形成装置は、円筒部を含む連結ロッドを持ち、円筒部は正方形又は長方形の横断面を有する傾斜部に延びる。
【０００６】
本発明による椎間関節形成装置は、各連結具が、連結ロッドの円筒部が並進にガイドされることを許容する第一穴と、スリーブ及び固定ねじを受けるための延長部に形成されている第二穴とを含むボディによって形成されることを示す。
【０００７】
本発明による椎間関節形成装置は、第二穴が互いに反対側に配置され第二穴の内周に形成される座面に開口している、２つの内側の垂直な凹部を有することを示す。
【０００８】
本発明による椎間関節形成装置は、各連結具の第二穴の内側に形成される凹部及び座面がスリーブの外面形状を補完する球面形状を有し、そのために、前記スリーブが、前記穴の垂直軸ｘｘ’に対する回転運動Ｒ及び／又は側方傾斜運動Ｂ、及び／又は固定ねじの垂直軸ｖｖ’に対する回転運動Ｒ１で、第二穴の内部を自由に動くことができるようになっていることを示す。
【０００９】
本発明による椎間関節形成装置は、連結具の延長部より大きな高さを有するスリーブを含む。
【００１０】
本発明による椎間関節形成装置は、各固定ねじが第一固定部と第二固定部との間に凸形状を有し、凸形状は第二固定部の方向で円錐形状に延び、円錐形状は前記固定ねじに対して前記スリーブを拘束するモールステーパ連結装置を構成するように、スリーブの円錐形穴と協働するように設計されることを示す。
【００１１】
本発明による椎間関節形成装置は、連結ロッドの傾斜部が止めねじによって複数の連結具内に保持され、複数の連結具は処置される脊髄分節の上部椎骨Ｖ２にあらかじめ固定されていることを示す。
【００１２】
本発明による椎間関節形成装置は、複数の連結具の間に、複数の止めねじによって各連結ロッドの円筒部に固定される複数の連結具と、前記連結ロッドに対して直角に配置されていて、前記複数の連結具を互いに連結できる横断方向ロッドとを含む横断方向連結装置を持つ。
【図面の簡単な説明】
【００１３】
本発明のより深い理解をもたらす、本発明の特徴及び本発明がもたらすであろう利点についての以下の説明において、非限定的な例として与えられる添付の図を参照されたい。
【図１】処置されるべき脊柱の椎骨に配置される、本発明による椎間関節形成装置を示す斜視図である。
【図２】本発明による椎間関節形成装置に含まれる要素を図示する分解斜視図である。
【図３】本発明による椎間関節形成装置の組み立てられた要素を示す斜視図である。
【図４−７】本発明による椎間関節形成装置の連結具内部に嵌められる球面形状のスリーブを示す図である。
【図８−９】本発明による椎間関節形成装置の連結具内に嵌められる固定ねじを図示する断面図である。
【発明を実施するための形態】
【００１４】
椎間関節形成装置１は図１から３に図示され、連結具３、６を互いに連結するための連結ロッド２を含み、前記連結具３、６は各々が処置されるべき椎骨Ｖ１、Ｖ２の椎体に、固定ねじ４によってそれぞれ保持される。
【００１５】
椎間関節形成装置１の連結ロッド２は円筒部２０を含み、該円筒部２０は正方形又は長方形の横断面を有する傾斜部２１に延び、この傾斜部には、処置されるべき脊髄分節の上部椎骨Ｖ２にあらかじめ固定された対応する連結具６の内部における傾斜部の並進及び回転を阻止するために、止めねじ６０が当接する。
【００１６】
椎間関節形成装置１は、連結具３、６の間で横方向連結装置７によって連結でき、該横方向連結装置７は、止めねじ７１によって各連結ロッド２の円筒部２０に固定される連結具７０と、前記連結ロッド２に対して直角に配置され、前記連結具７０を互いに連結させる横方向ロッド７２とを含む。
【００１７】
連結ロッド２の円筒部２０はまた連結具３と自由に協働するように設計され、つまり上部椎骨Ｖ１及び下部椎骨Ｖ２の互いに対する角度の動きに応じて、並進で各連結具内部を自由に動くことが可能である。
【００１８】
各連結具３は、連結ロッド２の円筒部２０を自由にガイドするための第一穴３１を含むボディ３０と、第一穴に対して直角な方向に配置されるように延長部３５に形成される第二穴３２とを含む。
【００１９】
連結具３を処置すべき脊髄分節の上部椎骨Ｖ２に固定できるようにする各固定ねじ４は第一固定部４０を含み、該第一固定部４０はセルフタッピンねじを有し、締付けナット４２を受けるための機械的ねじを有する第二固定部４１に垂直に延びる。
【００２０】
第一固定部４０と第二固定部４１との間に、固定ねじ４は、その周囲に扇型４４を含む凸形状４３を有し、前記扇型４４は、前記ねじを対応する下部椎骨Ｖ２の椎体に固定する目的で前記ねじを回転させるための道具に対するかみ合い領域を規定する。
【００２１】
凸形状４３の上方に、固定ねじ４は第二固定部４１への連結領域４７を有し、前記第二固定部４１は機械的ねじを有し円錐形状である。
【００２２】
第一固定部４０の自由端において、固定ねじ４は、セルフタッピンねじに割り込み骨の非拘束なタッピングを保証する、垂直な切り込み４５を有する。
【００２３】
第二固定部４１の自由端及び機械的ねじの延長部内に、固定ねじ４は、ナット４２が締付けられるときに前記固定ねじが回転するのを妨げる道具を受けるための、六角形の内側座面４６を有する。
【００２４】
図４から７は本発明による椎間関節形成装置１の連結具３を示し、連結具３は、スリーブ５を受けるための拘束及びガイド手段を第二穴３２の内部に有し、この手段によって前記連結具が固定ねじ４に対して、又は逆に、上部及び下部椎骨Ｖ１、Ｖ２の動きとの関係での回転及び傾動の自由が許容されている。
【００２５】
この目的のために、連結具３の延長部３５の上縁から始まる拘束及びガイド手段は２つの垂直な凹部３３によって形成され、該凹部３３は互いに反対側に配置され、第二穴３２の内面に形成される座面３４に開口している。
【００２６】
このように形成された第二穴３２は、スリーブ５を受けるように設計されており、該スリーブ５は球状外面形状を有し、円錐形状の連続した内側の穴５０を有する。
【００２７】
連結具３の第二穴３２の内部に形成される凹部３３及び座面３４はスリーブ５の外面形状を補完する球面形状を有する。
【００２８】
この目的のために、スリーブ５はその外面形状が凹部３３と協働するように、座面３４の内側に当接するまで第二穴３２の内部に垂直方向に導入される（図５）。
【００２９】
その外面形状が座面３４の補完形状のみと協働するように、スリーブ５は次に第二穴３２の内部で傾けられる（図６）。
【００３０】
傾けられた後、内側の穴５０の円錐形状のより開いた底部が前記延長部３５の上縁から離れた方向に向けられるように、スリーブ５は第二穴３２の内部において連結具３の延長部３５を含む水平平面に対して平行である水平な位置に位置する。
【００３１】
従って、スリーブ５は第二穴３２の主軸ｘｘ’及びｙｙ’によって支持され、前記第二穴の内部の回転及び傾斜運動において自由に動くことができる（図６及び７）。
【００３２】
スリーブ５が第二穴３２内で延長部３５を含む水平平面に対して平行である水平な位置に配置されるとき、それは前記スリーブ５及び座面３４の補完外面形状によって、第二穴３２の内部に垂直な方向に固定される。
【００３３】
対照的に、スリーブ５は第二穴３２の垂直軸ｘｘ’に対する回転運動Ｒ及び／又は側方傾斜運動Ｂ、及び／又は固定ねじの垂直軸ｖｖ’が第二穴３２のそれと一致しないときは、固定ねじ４の垂直軸ｖｖ’に対する回転運動Ｒ１で、第二穴３２の内部を自由に動く（図８及び９）。
【００３４】
スリーブ５は、第二穴３２の内部に位置するとき、前記スリーブが前記延長部の上及び下から突き出て、前記連結具３に固定ねじ４を拘束させるときに締付けナット４２と接触するように、連結具３の延長部３５より大きな高さを有することに留意されたい。
【００３５】
固定ねじ４は、その円錐形状４７が補完円錐形状の前記穴５０と係合するまで第二固定部４１がスリーブ５の穴５０を通過するように、連結具３の内部に導入される。
【００３６】
２つの円錐形状の組み合わせは、ナット４２によって拘束された後、前記固定ねじ４回りの連結具３の角度の動きを制御するために、固定ねじ４がモールステーパによってスリーブ５内に固定されて互いに従属することを可能とする。
【００３７】
従って、固定ねじ４を下部椎骨Ｖ２の骨体内に拘束した後、連結具３を後者の周りにスリーブ５によって取付け及び固定することは、連結ロッド２の位置及び／又は互いに対する椎骨Ｖ１、Ｖ２の動きとの関係で軸ｘｘ’回りの回転Ｒ及び／又は傾斜Ｂにおける、前記連結具の位置を制御することを可能にする。
【００３８】
締付けナット４２は、連結具３の第二穴３２の内部に配置されたスリーブ５に対して当接し、前記固定ねじに対して前記連結具３が自由に動くことを保証しながら、固定ねじ４が前記スリーブの内部で垂直方向にのみ固定されることに留意されたい。
【００３９】
上述の説明は、例示のみを目的としており、本発明の範囲を制限することはなく、記載の実施形態が他の同等の実施形態に取って代わられることは、本発明の範囲から逸脱することを意味しないことが理解されるであろう。
【図１】
2013535265.tif 000003
【図２】
2013535265.tif 000004
【図３】
2013535265.tif 000005
【図４】
2013535265.tif 000006
【図５】
2013535265.tif 000007
【図６】
2013535265.tif 000008
【図７】
2013535265.tif 000009
【図８】
2013535265.tif 000010
【図９】
2013535265.tif 000011
【国際調査報告】
2013535265.tif 000012
2013535265.tif 000013
2013535265.tif 000014
2013535265.tif 000015
2013535265.tif 000016
2013535265.tif 000017
2013535265.tif 000018
2013535265.tif 000019